(57)【要約】【課題】  簡易に長竿状態と短竿状態とを切り換えることのできる釣り竿を提供する。【解決手段】  大径の第１元竿１に小径の第２元竿２を伸縮操作自在に挿嵌し、伸長操作した状態で、或いは、収縮操作した状態での、いずれの状態においてもその状態を固定すべく構成する。第２元竿２の竿尻側部分を第１元竿１内に収納した状態で、竿の調子を所定の調子に維持すべく、第２元竿２の剛性を設定してある。【選択図】        図１
2006075020.tif 000002
【特許請求の範囲】
【請求項１】
大径の第１竿体に小径の第２竿体を伸縮操作自在に挿嵌し、伸長操作した状態で、或いは、収縮操作した状態での、いずれの状態においてもその状態を固定すべく構成するとともに、前記第２竿体を前記第１竿体に収納した状態を基準状態として、竿の調子を所定の調子に維持すべく、前記第２竿体の剛性を設定してある伸縮式釣り竿。
【請求項２】
原材料となるプリプレグから、芯金の軸線方向に沿った長さを有しその長さ方向の竿先側端部が細い幅でかつ竿尻側端部が広い幅のパターンを裁断し、そのパターンの竿先側端部を芯金の大径部分にかつ前記パターンの竿尻側を芯金の小径部分にあてがい前記芯金をローリングさせて前記パターンを巻付けて筒状体を形成し、前記筒状体から前記第２竿体を形成してある請求項１記載の伸縮式釣り竿。
【請求項３】
前記パターンにおける素材としてのプリプレグの弾性率を、竿先側の小幅部分が高く、竿尻側の広幅部分が低い請求項２記載の伸縮式釣り竿。
【請求項４】
原材料となるプリプレグから、芯金の軸線方向に沿った長さを有しその長さ方向の竿先側端部と竿尻側端部が細い幅で、竿先側端部と竿尻側端部との間の中間部分が広い幅のパターンを裁断する請求項２記載の伸縮式釣り竿。
【発明の詳細な説明】
【技術分野】
【０００１】
本発明は、元竿を伸縮自在に構成する伸縮式釣り竿に関する。
【背景技術】
【０００２】
一般に、伸縮しないルアー竿においては、ルアーの重さによって竿を変更しなければならず、手元が非常に柔らかいものでは、軽いルアーをキャストし易く、魚を掛けると手元が大きく曲がるので釣り操作が楽しく、ラインの破断を阻止できるのであるが、重いルアーではキャストしにくいという問題があった。
これに対して、伸縮式釣り竿においては、針掛りした魚を抜き上げる際や仕掛けを流す場合に、短縮状態から伸長状態に切り換え穂先を伸ばすことによって、それらの操作を円滑に行うことのできるものがある（特許文献１参照）。
【０００３】
【特許文献１】実用新案登録第２５２１９４７号
【発明の開示】
【発明が解決しようとする課題】
【０００４】
上記した伸縮式の釣り竿では、明記されていないが、一般的に竿を製作する場合と同様に、第２竿体を第１竿体から引き出した伸長状態で、第２竿体と第１竿体とが所定の剛性を発揮するように設定されていた。そうすると、第２竿体を第１竿体内に収納した場合に、収納状態での第１竿体１の部分の剛性が大きく高まることになり、この部分が実際に吊り上げる際に突っ張り、ラインが破断しやすいといった問題もあった。
【０００５】
本発明の目的は、伸縮式釣り竿において、竿の剛性の設定に工夫を凝らして、魚が掛かった場合の曲がりを大きくすることができ、ラインの破断を阻止し乍、重い仕掛け等に対応できる強度を備える伸縮式釣り竿を提供する点にある。
【課題を解決するための手段】
【０００６】
〔構成〕
請求項１に係る発明の特徴構成は、大径の第１竿体に小径の第２竿体を伸縮操作自在に挿嵌し、伸長操作した状態で、或いは、収縮操作した状態での、いずれの状態においてもその状態を固定すべく構成するとともに、前記第２竿体を前記第１竿体に収納した状態を基準状態として、竿の調子を所定の調子に維持すべく、前記第２竿体の剛性を設定してある点にあり、その作用効果は次の通りである。
【０００７】
〔作用〕
第１竿体に第２竿体を収縮状態でこれら二つの竿体の合同させた剛性を抑えることができたので、他の竿との剛性バランスを図りながら所定の竿の調子を発揮できるものとなり、第１竿体に第２竿体を収納した部分での突っ張りが抑えられる。しかも、重い仕掛けであっても使用することができる。
一方、第２竿体を第１竿体から引き出した状態では、第２竿体単独の剛性となるので、魚が掛かった場合にこの部分で曲がり易く、かつ、軽い仕掛けでのキャスティングを行いやすい。
このような構成を採っているので、使用状況によっては、次ぎのような使用が可能である。第２竿体を第１竿体に収納して剛性を高いものにした状態で、確りしたキャスティングを行うとともに、キャストした後に第２竿体を第１竿体より引き出して、手元側竿部分の曲がりを大きくして、魚とのやり取りを楽しむという使い方が可能である。
【０００８】
〔効果〕
したがって、糸の破断を生じることなく、重い仕掛けを使用する場合には、第２竿体を収納状態に設定し、軽い仕掛けで小型の魚が掛かった場合にも曲がり易いものとする場合には、第２竿体を伸長状態に切換使用でき、一本の竿で仕掛けの重さの違いにも対応でき、竿調子を変更することも可能な伸縮式の釣り竿を提供することができる。
【０００９】
〔構成〕
請求項２に係る発明の特徴構成は、原材料となるプリプレグから、芯金の軸線方向に沿った長さを有しその長さ方向の竿先側端部が細い幅でかつ竿尻側端部が広い幅のパターンを裁断し、そのパターンの竿先側端部を芯金の大径部分にかつ前記パターンの竿尻側を芯金の小径部分にあてがい前記芯金をローリングさせて前記パターンを巻付けて筒状体を形成し、前記筒状体から前記第２竿体を形成してある点にあり、その作用効果は次の通りである。
【００１０】
〔作用〕
上記のような製作方法を採ると、メインパターンの巻き重ね回数は、竿先側が少なくなり、竿尻側が多くなる。この構成によって、竿先側と竿尻側の剛性が変化するが、ここでの目的は、第２竿体での剛性の低下を図りながら、必要最小限の強度を確保することにある。
【００１１】
つまり、芯金向きを反対にして巻き付け形成した第２竿体においては、竿先側の方が、巻き重ね回数が少なくなって剛性の低下を招くとともに、竿尻側の方は、メインパターンの竿尻側を芯金の大径部に巻回する通常の方法で形成した場合に比べてやや径が小さくなっているが、巻き重ね回数の増加によって剛性の低下を抑えている。
第２竿体は剛性が低下しているので、第２竿体を収納する状態で剛性を低く抑えることができる。これによって、第１竿体での突っ張り感が解消された。
【００１２】
収納状態から第２竿体を引き出した伸長状態では、第１竿体から第２竿体が突出するが、第２竿体の剛性が低下しているので、曲がり易くなっている。したがって、魚が掛かった場合には、この手元部分が曲がり易くなって、ゲーム感覚が味わえ、魚釣りを楽しむことができる。ただし、第２竿体の竿尻側端部の巻き重ね回数が多く肉圧を厚くしてあるので、大きな剛性低下を招くわけではない。
【００１３】
〔効果〕
つまり、芯金とプリプレグパターンとの位置関係を切り換えることによって、剛性の低下した第２竿体を容易に得ることができた。
【００１４】
請求項３に係る発明の特徴構成は、前記パターンにおける素材としてのプリプレグの弾性率を、竿先側の小幅部分が高く、竿尻側の広幅部分が低い点にあり、その作用効果は次の通りである。
【００１５】
〔作用効果〕
つまり、竿体を構成するプリプレグを同一の弾性率を有するものではなく、竿先側の小幅部分の弾性率が高く、竿尻側の広幅部分の弾性率が低いものにして、第２竿体を第１竿体に収納すると、その第２竿体内に位置することになる竿尻側の広幅部分の弾性率が低くなっているので、収納状態での剛性を所定の剛性に抑えることができ、第２竿体を収納した第１竿体での突っ張り感を抑制して、魚を引き上げる場合に糸が破断することを抑制できる。
一方、仕掛けが軽い場合等の場合には、第２竿体を引き出すことによって、その第２竿体の竿尻側の弾性率が低くなっている部分が第1竿体より引き出されており、小型の魚が掛かった場合にも曲がり易く、釣り操作を楽しむことができる。
【００１６】
請求項４に係る発明の特徴構成は、原材料となるプリプレグから、芯金の軸線方向に沿った長さを有しその長さ方向の竿先側端部と竿尻側端部が細い幅で、竿先側端部と竿尻側端部との間の中間部分が広い幅のパターンを裁断する点にあり、その作用効果は次の通りである。
【００１７】
〔作用効果〕
つまり、竿尻側端部が細い幅とすることによって、剛性を低下させることができる。これによって、小型の魚が掛かった場合にも曲がり易く、釣り操作を楽しむことができる。
【発明を実施するための最良の形態】
【００１８】
磯竿、又は、ルアー竿等として使用される伸縮式の釣り竿Ａについて説明する。
釣り竿Ａは、図１に示すように、大径竿体としての第１元竿１、小径竿体としての第２元竿２とを、第１元竿１内に第２元竿２を収納する状態と、第１元竿１から第２元竿２を引き出した伸長する状態とに切り換え可能に構成してある。第１元竿１の中間部にリールＢを取り付けるリールシート３を外嵌装着してある。
【００１９】
元竿１，２の伸縮構造について説明する。図１（イ）（ロ）に示すように、第１元竿１の後端に尻栓４を取り付けるとともに、その尻栓４の前方で竿尻側端部の内面に内向きに膨出する内向き膨出部１Ａを形成してある。第２元竿２には竿尻側端部に、外向きの後大径膨出部２Ａを形成するとともに、玉口２Ｂに糸ガイド５を取り付け、糸ガイド５と大径膨出部２Ａとの中間位置に、外向きの中間大径膨出部２Ｃを形成している。
【００２０】
以上のような構成によって、図１（イ）（ロ）に示すように、第２元竿２を第１元竿１から引き出した状態と第２元竿２を第１元竿１内に収納した状態とに切り換えることができる。つまり、第２元竿２を引き出すと、第２元竿の竿尻に形成した外向きの後大径膨出部２Ａが、第１元竿１の玉口１Ｂの内周面に圧接して、第２元竿２の引き出し状態が固定される。この状態を伸長状態と称する。
この伸長状態から前記した圧接力に抗して第２元竿２を退入させると、中間大径膨出部２Ｃが第１元竿１の玉口１Ｂの内周面に圧接すると同時に、第２元竿２の後大径膨出部２Ａが第１元竿１の後端内向き膨出部１Ａに圧接して、第２元竿２の収納状態が固定される。
【００２１】
次に、第１元竿１と第２元竿２との製作工程について説明する。基本的な製作形態としては、引き揃え状態にあるカーボンやガラスの高強度繊維に、エポキシやフェノール等の熱硬化樹脂を含侵させて作成したプリプレグから、所望の竿体のパターンを裁断する。パターンには、竿体の主要部分となるメインパターンと竿先側端部また竿尻側端部等において膨出部等を形成する補助パターンとからなる。
一方、金属製で最小径の先端部から最大径の基端部まで僅かに径を拡大させる芯金６を用意する。
【００２２】
第１元竿１の製作方法を説明する。図２に示すように、３層分のメインパターン７を用意する。このメインパターン７を、芯金６に巻き付けて、芯金６とパターン７とを一体でローリングさせて巻付け固定する。
この場合に、メインパターン７は竿先側が細い幅でかつ竿尻側が広い幅に裁断されて台形状に形成してある。この細い幅側を芯金６の先端側に、広い幅側を芯金６の基端側に巻き付けて、ローリング形成する。メインパターン７の細い幅、及び、広い幅が芯金６の周長より大であるので、巻き付け完了すると、メインパターン７は２〜３層分になるように、巻き付けられる。
【００２３】
上記構成においては、メインパターン７を一枚使用した場合を説明したが、必要とする第１元竿１の径に応じてメインパターン７を複数枚使用する。このように複数枚使用する場合には、メインパターン７を構成する引き揃え高強度繊維の方向性が問題になるが、図  ２に示すように、最下層のメインパターン７では、引き揃え方向を周方向に定め、二層目では芯金６の軸芯方向に定め、三層目ではまた周方向に定めて、引き裂き強度を高める構成を採っている。
このような製作方法が通常の製作方法である。つまり、メインパターン７の細幅部分を芯金６の先端側に貼り付け、広幅部分を芯金６の基端側に貼り付けることによって、先端側と基端側とで余り巻き重ね回数が異ならないように、巻きつける構成を採っている。膨出部１Ａは、補助パターンで別個に形成したものを第１元竿１の竿尻内に嵌め込んで接着固定するか、または、ゴム等で形成した別部材を第１元竿１の竿尻内に収納する方法を採ってもよい。
【００２４】
つぎに、第２元竿２の製作方法について説明する。この第２元竿２と第１元竿１との製作方法の違いは、メインパターン７と芯金６との位置関係が異なっているのである。つまり、メインパターン７の細幅側を竿先側に位置させ、広幅側を竿尻側に位置させる。芯金６は第１元竿１の場合と違って、メインパターン７の細幅側に芯金６の大径基端部側を位置させ、メインパターン７の広幅側に芯金６の小径先端部側を位置させる。メインパターン７を芯金６に巻き付ける。
【００２５】
そうすると、メインパターン７の巻き重ね回数は、竿先側が少なくなり、竿尻側が多くなる。この構成によって、竿先側と竿尻側の剛性が変化するが、ここでの目的は、第２竿体２での剛性の低下を図りながら、必要最小限の強度を確保することにある。
【００２６】
つまり、上記した通常の方法を採る第１元竿１では、メインパターン７の巻き重ね回数が略同一に設定されているので、剛性は竿尻側が大径である分、その分だけ剛性が高いともいえるが、径の違いは僅かであるので、実質的には、剛性の違いは少ないと考えられる。これに対して、芯金６向きを反対にして巻き付け形成した第２元竿２においては、竿先側の方が、巻き重ね回数が少なくなって剛性の低下を招くとともに、竿尻側の方は、メインパターン７の竿尻側を芯金６の大径部に巻回した場合に比べてやや径が小さくなっているが、巻き重ね回数の増加によって剛性の低下を抑えている。
【００２７】
以上のように、第１元竿１と第２元竿２との剛性を設定したので、第２元竿２を収納した状態と、引き出した状態とで釣り竿の状態は次ぎのようになるが、その前に、通常方法で製作された場合がどうなっているかを考える。ここで、問題になるのは、釣り竿の調子が先調子か胴調子かによっても、釣り竿を構成する各竿体の剛性が異なるものであるが、ここでは竿調子は先調子かまたは胴調子等のいずれかに固定されているものとする。そうすると、第１元竿１と第２元竿２の剛性も、所定の剛性を確保するようにプリプレグの高強度繊維量やその繊維の弾性率等が設定される。
【００２８】
この通常方法で製作された釣り竿では、第２元竿２を第１元竿１から引き出した伸長状態で、第２元竿２と第１元竿１とが所定の剛性を発揮するように設定されていた。そうすると、第２元竿２を第１元竿１内に収納した場合に、収納状態での第１元竿１の部分の剛性が大きく高まることになり、この部分が実際に吊り上げる際に突っ張り、ラインが破断しやいといった問題もあった。
【００２９】
そこで、前記したように、第２元竿２を逆芯金で製作することによって、次ぎのようになる。図１及び図３に示すように、第２元竿２は剛性が低下しているので、第２元竿２を収納する状態で剛性を通常方法によって製作された場合に比べて剛性を低く抑えることができる。これによって、第１元竿１での突っ張り感が解消された。
【００３０】
収納状態から第２元竿２を引き出した伸長状態では、第１元竿１から第２元竿２が突出するが、第２元竿２の剛性が低下しているので、曲がり易くなっている。したがって、魚が掛かった場合には、この手元部分が曲がり易くなって、ゲーム感覚が味わえ、魚釣りを楽しむことができる。ただし、第２元竿２の竿尻側端部の巻き重ね回数が多く肉圧を厚くしてあるので、大きな剛性低下を招くわけではなく、重い仕掛けであっても、使用することができる。
【００３１】
〔別実施形態〕
（イ）  第２竿体２の構成としては、次ぎのようなものでもよい。図４に示すように、メインパターン７として竿先側部分７Ａと竿尻側部分７Ｂとに分けて繋がり部分を重ね合わせる構成とする。竿先側部分７Ａは高弾性率の強化繊維を使用したプリプレグを使用し、竿尻側部分７Ｂは低弾性率の強化繊維を使用したプリプレグを使用する。高弾性率、及び、低弾性率ともに、ＰＡＮ系炭素繊維またはピッチ系炭素繊維等が使用可能であるが、ガラス繊維やボロン等他の繊維も使用可能である。図示はしていないが、複数枚のプリプレグを重ね巻きしてもよい。
第１竿体１に収納される部分が低弾性率の竿尻側部分７Ｂであるので、収納状態でも余り剛性が高くならず、釣りを楽しく行うことができる。尚、このメインパターン７では一方向に強化繊維を配置するのではなく、縦横にクロスさせるものを採用してもよい。
（ロ）  メインパターン７の裁断形状としては、竿尻側において一部７Ｃを取り去りパターン幅を狭くして、剛性を低下させる。この場合に、前記したように、逆向きに芯金６をした状態で、巻き付け竿を形成するので、パターン幅を狭くしたとしても芯金６の小径部分に巻き付けるので、巻き重ね回数の低下を抑制できて、前記したように、第２竿体２を第１竿体１より引き出した伸長状態であっても、柔らかくなり過ぎることはない。
（ハ）  第２竿体２より竿先側の竿について言及していないが、適宜、必要な本数を揃えて構成することができる。竿先側の竿については、糸ガイド５を備えたものまたは糸ガイド５を備えない中通し竿の形態を採るものであってもよい。
（ニ）  上記した構成では、第２竿体２は、軸線方向の中間位置までしか第１竿体１内に収納されない構成となっているが、第２竿体２の全体が収納される状態でもよい。
（ホ）  第１竿体１と第２竿体２とを元竿に適用する形態を提示したが、中竿にこのような構成を適用してもよい。
【図面の簡単な説明】
【００３２】
【図１】伸縮式元竿の側面図で、（イ）は収納状態を示し、（ロ）は伸縮状態を示す
【図２】第１元竿を作る場合の芯金とメインパターンとの、巻回する前の配置状態を示す斜視図
【図３】第２元竿を作る場合の芯金とメインパターンとの、巻回する前の配置状態を示す斜視図
【図４】メインパターンの別実施構造を示す展開図
【図５】メインパターンの別実施構造を示す展開図
【符号の説明】
【００３３】
１            第１竿体
２            第２竿体
６            芯金
７            パターン
【図１】
2006075020.tif 000003
【図２】
2006075020.tif 000004
【図３】
2006075020.tif 000005
【図４】
2006075020.tif 000006
【図５】
2006075020.tif 000007